(57)【要約】【課題】絶縁媒体の酸化劣化および絶縁性能の劣化を防ぐ。【解決手段】タップ切換装置１０１は、絶縁媒体１５により満たされる筐体２３と、筐体２３外に配置され、変圧器１０の含む巻線における複数の位置に設けられた複数のタップの中から少なくとも１つのタップを選択するタップ選択器２１と、筐体２３内に配置され、タップ選択器２１によって選択されているタップと所定ノードとの間の負荷電流が流れる接点６０を有し、接点６０を開閉する切換開閉器２２と、筐体２３に連通し、絶縁媒体１５と気体との界面が形成されるコンサベータ４１と、筐体２３およびコンサベータ４１の少なくとも一方に非酸素気体を供給するための非酸素供給器３９と、コンサベータ４１に接続され、タップ切換装置１０１外からコンサベータ４１への空気流れを規制する弁４５とを備える。【選択図】図１
2010147074.tif 000002
【特許請求の範囲】
【請求項１】
複数の巻線を含む変圧器の巻線比を切り換えるためのタップ切換装置であって、
絶縁媒体により満たされる筐体と、
前記筐体外に配置され、前記変圧器の含む巻線における複数の位置に設けられた複数のタップの中から少なくとも１つのタップを選択するタップ選択器と、
前記筐体内に配置され、前記タップ選択器によって選択されている前記タップと所定ノードとの間の負荷電流が流れる接点を有し、前記接点を開閉する切換開閉器と、
前記筐体に連通し、前記絶縁媒体と気体との界面が形成されるコンサベータと、
前記筐体および前記コンサベータの少なくとも一方に非酸素気体を供給するための非酸素供給器と、
前記コンサベータに接続され、前記タップ切換装置外から前記コンサベータへの気体流れを規制する弁とを備えるタップ切換装置。
【請求項２】
前記タップ切換装置は、さらに、
前記コンサベータと前記弁との間を接続する第１の配管と、
前記コンサベータと前記非酸素供給器との間を接続する第２の配管とを備える請求項１に記載のタップ切換装置。
【請求項３】
前記第１の配管および前記第２の配管は、前記コンサベータからの所定区間を共通にしている請求項２に記載のタップ切換装置。
【請求項４】
前記タップ切換装置は、さらに、
前記コンサベータと前記弁との間を接続する第１の配管と、
前記筐体と前記非酸素供給器との間を接続する第２の配管とを備える請求項１に記載のタップ切換装置。
【請求項５】
複数の巻線を含む変圧器の巻線比を切り換えるためのタップ切換装置における気圧調整方法であって、
前記タップ切換装置は、
絶縁媒体により満たされる筐体と、
前記筐体外に配置され、前記変圧器の含む巻線における複数の位置に設けられた複数のタップの中から少なくとも１つのタップを選択するタップ選択器と、
前記筐体内に配置され、前記タップ選択器によって選択されている前記タップと所定ノードとの間の負荷電流が流れる接点を有し、前記接点を開閉する切換開閉器と、
前記筐体に連通し、前記絶縁媒体と気体との界面が形成されるコンサベータと、
前記筐体および前記コンサベータの少なくとも一方に非酸素気体を供給するための非酸素供給器と、
前記コンサベータに接続され、前記タップ切換装置外から前記コンサベータへの気体流れを規制する弁とを備え、
前記気圧調整方法は、
前記コンサベータ内の気圧が正圧であるときに前記弁を介して前記筐体内の気体を大気へ排出するステップと、
前記コンサベータ内の気圧が負圧であるときに前記非酸素供給器から前記筐体および前記コンサベータの少なくとも一方に非酸素気体を供給するステップとを含む気圧調整方法。
【発明の詳細な説明】
【技術分野】
【０００１】
本発明は、タップ切換装置および気圧調整方法に関し、特に、切換開閉器を浸す絶縁媒体に起因する問題を防ぐタップ切換装置および気圧調整方法に関する。
【背景技術】
【０００２】
変圧器に負荷が接続された状態で変圧器の巻線比を無停電で切り換えるため、負荷時タップ切換装置（ＬＴＣ：Load Tap-Changer）が用いられている。負荷時タップ切換装置は、変圧器のコイルに設けられたタップを選択するタップ選択器と、タップ選択の切り換え時に負荷電流経路を切り換える切換開閉器とを備える。この切換開閉器は、絶縁雰囲気下で負荷電流経路を切り換えるために、絶縁油などの絶縁媒体中に置かれる。
【０００３】
このようなＬＴＣの一例として、たとえば、特開２００４−７９９２０号公報（特許文献１）には、以下のような負荷時タップ切換変圧器が開示されている。すなわち、変圧器本体と負荷時タップ切換器と、上記変圧器本体とともに上記負荷時タップ切換器が収容されて絶縁油が充填された変圧器タンクと、上記変圧器タンク内に充填された絶縁油と隔絶した絶縁油が充填された上記負荷時タップ切換器の切換開閉器収容室とを備えた負荷時タップ切換変圧器において、上記切換開閉器収容室内に収容された切換開閉器は、上記切換開閉器収容室内の絶縁油と隔絶した真空バルブを備えて、上記変圧器タンクと上記切換開閉器収容室とが、それぞれに設けられた連結管を通して共通のコンサベータに接続される。
【０００４】
上記の負荷時タップ切換変圧器では、変圧器タンク内の絶縁油及び切換開閉器収容室内の絶縁油の膨張および収縮に伴って、コンサベータ内の絶縁油の油面レベルが変化し、これらの油面レベルの変化に伴って、吸湿呼吸器を通して呼吸が行われる。吸湿呼吸器は、吸湿剤を通して空気を流通させるもので、大気中の水分がコンサベータ内に侵入するのを防止するために設けられている。
【特許文献１】特開２００４−７９９２０号公報
【発明の開示】
【発明が解決しようとする課題】
【０００５】
特許文献１に記載されているような従来のＬＴＣでは、油中で電流遮断を行なうため、その際に生ずるアーク放電によって分解ガスが発生する。この分解ガスは大気へ放出させる必要があるため、分解ガス排出のための開口部を設けなければならない。また、ＬＴＣは変圧器に取付けられているため、周囲媒体である変圧器絶縁油の温度変化により、切換開閉器容器（切換開閉器収容室）中の絶縁油が熱膨張および熱収縮して呼吸作用を伴うので、上記開口部はその呼吸作用が妨げられることを防ぐ機能も併せ持つ。
【０００６】
そして、従来のＬＴＣでは、分解ガスの排気と呼吸作用の吸排気とが妨げられることを防ぐために、開口部としてブリーザ（吸湿呼吸器）が設けられている。
【０００７】
周囲媒体である変圧器絶縁油の温度変化による呼吸作用でタップ切換器容器内が負圧になった場合には、吸気としてブリーザを介して大気をタップ切換器容器内に吸い込むことになる。
【０００８】
そのため、従来のＬＴＣでは、以下のような問題があった。すなわち、切換開閉器容器内の絶縁油は、上記呼吸作用による大気流入で酸素を取り込むため、酸化による劣化が進展していく。絶縁油が酸化劣化していくとＬＴＣの切換開閉器における通電用接点に酸化スラッジが付着する。そうすると、接触抵抗が増大して通電性能が低下し、ついには通電用接点の過熱によって通電障害に至るという問題があった。また、この通電用接点には可とう性が必要な通電導体が接続されているため、この通電導体に酸化スラッジが付着していくことにより可とう性が低下して、ついには機械的ストレスの繰り返しを受けて断線し、通電障害に至るという問題があった。
【０００９】
また、切換開閉器容器内の絶縁油は切換開閉器を絶縁する役目がある。従来のＬＴＣでは、絶縁油中の水分量が増えると絶縁油の絶縁性能が低下するので、絶縁油への水分流入を防止するために、呼吸作用で大気を吸い込むときにブリーザに設置した乾燥剤（吸湿剤）で大気中水分を吸着させ、乾燥した空気を切換開閉容器へ流入させる。これにより、絶縁油の絶縁性能が維持されている。しかしながら、乾燥剤の飽和吸水量はそれほど多くないので、吸水量が飽和する前に短期間で定期的に乾燥剤を交換しなければならないことから、メンテナンスに非常に手間がかかるという問題がある。また、乾燥剤が交換時期を過ぎて飽和吸水量になっていた場合、大気中水分が乾燥剤に吸着されないまま湿った大気が流入し、絶縁油の絶縁性能を低下させる、などの問題があった。
【００１０】
この発明は、上述の課題を解決するためになされたもので、その目的は、絶縁媒体の酸化劣化および絶縁性能の劣化を防ぐことが可能なタップ切換装置および気圧調整方法を提供することである。
【課題を解決するための手段】
【００１１】
上記課題を解決するために、この発明のある局面に係わるタップ切換装置は、複数の巻線を含む変圧器の巻線比を切り換えるためのタップ切換装置であって、絶縁媒体により満たされる筐体と、筐体外に配置され、変圧器の含む巻線における複数の位置に設けられた複数のタップの中から少なくとも１つのタップを選択するタップ選択器と、筐体内に配置され、タップ選択器によって選択されているタップと所定ノードとの間の負荷電流が流れる接点を有し、接点を開閉する切換開閉器と、筐体に連通し、絶縁媒体と気体との界面が形成されるコンサベータと、筐体およびコンサベータの少なくとも一方に非酸素気体を供給するための非酸素供給器と、コンサベータに接続され、タップ切換装置外からコンサベータへの気体流れを規制する弁とを備える。
【００１２】
上記課題を解決するために、この発明のある局面に係わる気圧調整方法は、複数の巻線を含む変圧器の巻線比を切り換えるためのタップ切換装置における気圧調整方法であって、タップ切換装置は、絶縁媒体により満たされる筐体と、筐体外に配置され、変圧器の含む巻線における複数の位置に設けられた複数のタップの中から少なくとも１つのタップを選択するタップ選択器と、筐体内に配置され、タップ選択器によって選択されているタップと所定ノードとの間の負荷電流が流れる接点を有し、接点を開閉する切換開閉器と、筐体に連通し、絶縁媒体と気体との界面が形成されるコンサベータと、筐体およびコンサベータの少なくとも一方に非酸素気体を供給するための非酸素供給器と、コンサベータに接続され、タップ切換装置外からコンサベータへの気体流れを規制する弁とを備え、気圧調整方法は、コンサベータ内の気圧が正圧であるときに弁を介して筐体内の気体を大気へ排出するステップと、コンサベータ内の気圧が負圧であるときに非酸素供給器から筐体およびコンサベータの少なくとも一方に非酸素気体を供給するステップとを含む。
【発明の効果】
【００１３】
本発明によれば、絶縁媒体の酸化劣化および絶縁性能の劣化を防ぐことができる。
【発明を実施するための最良の形態】
【００１４】
以下、本発明の実施の形態について図面を用いて説明する。なお、図中同一または相当部分には同一符号を付してその説明は繰り返さない。
【００１５】
＜第１の実施の形態＞
図１は、本発明の第１の実施の形態に係る負荷時タップ切換装置の構成を示す断面図である。図２は、図１中の負荷時タップ切換装置を構成する切換開閉器の主要部を示す断面図である。
【００１６】
図１および図２を参照して、まず、本実施の形態に係る負荷時タップ切換装置１０１の基本的な構造について説明すると、負荷時タップ切換装置１０１は、絶縁媒体たとえば絶縁油により満たされる筐体としての切換開閉器容器２３と、切換開閉器容器２３に配置される切換開閉器２２とを備える。切換開閉器２２は、負荷電流が流れる接点（スイッチ）６０を含み、この接点６０を開閉する。切換開閉器２２は、接点６０の開閉に伴って動作する可動部６７を含む。
【００１７】
続いて、本実施の形態に係る負荷時タップ切換装置１０１の構造について詳細な説明を行なう。
【００１８】
図１を参照して、負荷時タップ切換装置１０１は、タップ選択器２１と、切換開閉器２２とを備える。
【００１９】
タップ選択器２１は、切換開閉器容器２３外に配置され、変圧器１０の含むコイルにおける複数の位置に設けられた複数のタップの中から少なくとも１つのタップを選択する。タップ選択器２１は、絶縁油により満たされる変圧器タンク１３内にコイル１１とともに収容されている。
【００２０】
切換開閉器２２は、タップ選択器２１と電気的に接続されている。切換開閉器２２は、タップ選択器２１によって選択されているタップと所定ノードたとえばコイル１１の出力側端子との間の負荷電流が流れる接点６０を有する。切換開閉器２２は、この接点６０を開閉することにより、コイル１１のタップ切り換え時、タップ選択器２１によって選択されている各タップとコイル１１の出力側端子との間の電流経路を切り換える、すなわちタップ選択器２１によって選択されている各タップとコイル１１の出力側端子との間に流れる負荷電流をオン・オフする。ここで、コイル１１の出力側端子は、たとえばコイル１１の中性点である。
【００２１】
切換開閉器２２は、絶縁油により満たされる切換開閉器容器２３内に収容されている。切換開閉器２２では、接点６０による負荷電流経路の切り換えによってアーク放電が発生するため、絶縁油が汚染される。このため、切換開閉器容器２３は、コイル１１を収容する変圧器タンク１３とは区画されて設けられている。
【００２２】
負荷時タップ切換装置１０１は、駆動装置２４と連結され、かつ変圧器１０に取付けられている。切換開閉器容器２３の外側には、切換開閉器２２およびタップ選択器２１を駆動させるための駆動装置２４が設けられている。駆動装置２４は、駆動源であるモータを収容する電動操作機構部２７と、電動操作機構部２７から切換開閉器２２およびタップ選択器２１に駆動力を伝達する駆動力伝達部２５とを備える。
【００２３】
続いて、負荷時タップ切換装置１０１の行なうタップ切換について詳しく説明する。
タップ選択器２１は、変圧器１０の含むコイル１１における複数の位置に設けられた複数のタップのうち、第１のタップのみを選択している状態から第１のタップおよび第２のタップを選択している状態への切り換えを行ない、そして、第１のタップおよび第２のタップを選択している状態から第２のタップのみを選択している状態への切り換えを行なう。
【００２４】
切換開閉器２２は、タップ選択器２１が第１のタップおよび第２のタップの選択状態から第２のタップのみの選択状態への切り換えを行なう前に、接点６０を介した第１のタップとコイル１１の出力側端子との間の電気的接続から接点６０を介したコイル１１の出力側端子と第２のタップとの間の電気的接続へ切り換える。ここで、切換開閉器２２は、コイル１１の出力側端子と第１のタップおよび第２のタップの両方とが限流抵抗を介して接続されているブリッジ状態をつくることにより、接点６０を介した第１のタップおよび第２のタップの少なくとも一方とコイル１１の出力側端子との電気的接続が遮断されないように上記負荷電流経路の切り換えを行なう。
【００２５】
このようにして、負荷時タップ切換装置１０１は、変圧器１０のコイル１１に設けられたタップを負荷運転中に切り換えることにより、変圧器１０の巻線比を無停電で切り換え、変圧器１０の出力電圧を調整する。
【００２６】
図２を参照して、切換開閉器２２は、蓄勢機構５７、可動部６７および接点６０を含む。蓄勢機構５７は、ばねから形成されている。蓄勢機構５７は、駆動軸５５およびギヤ５３を介して図１中の駆動力伝達部２５に連結されている。可動部６７は、仮想軸である中心軸７１を中心に回動自在に設けられている。可動部６７は、出力軸５８を介して蓄勢機構５７に連結されている。
【００２７】
駆動力伝達部２５からギヤ５３および駆動軸５５を通じて入力された動力エネルギが、ばね力として蓄勢機構５７に蓄えられる。蓄勢機構５７に必要な動力エネルギが蓄えられると、蓄勢機構５７が、出力軸５８に設けられている拘束つめを作動させ、蓄えられたエネルギを一気に出力軸５８に開放する。これにより、可動部６７が中心軸７１を中心に回動する。
【００２８】
図３は、図２中のＩＩＩ−ＩＩＩ線上に沿った切換開閉器の断面図である。図２および図３を参照して、接点６０は、導電性に優れた金属材料から形成されている。接点６０は、たとえば、銅、銀めっきされた銅、スズめっきされた銅または黄銅から形成されている。
【００２９】
接点６０は、切換開閉器容器２３側に設けられる固定接点６３（６３ａ，６３ｂ，６３ｃ，６３ｄ）と、可動部６７側に設けられる可動接点６１（６１ａ，６１ｂ，６１ｃ，６１ｄ）とを含む。固定接点６３ａ〜６３ｄは、中心軸７１を中心とする周方向に互いに間隔を隔てて配置されている。固定接点６３ａおよび固定接点６３ｄは、それぞれ、図１中のタップ選択器２１に電気的に接続されている。可動接点６１ａ〜６１ｄは、それぞれ、中心軸７１を中心とする半径方向において、固定接点６３ａ〜６３ｄと向い合って配置されている。
【００３０】
切換開閉器２２は、中継端子６４と、フレキシブルリード６６とを有する。中継端子６４は、図１中のコイル１１の出力側端子に電気的に接続されている。中継端子６４は、固定接点６１ｃと固定接点６１ｂとの間に配置され、切換開閉器容器２３に対して固定されている。フレキシブルリード６６は、中継端子６４と、可動接点６１ａ〜６１ｄとの間をそれぞれ連結する。フレキシブルリード６６は、柔軟性を有するケーブルから形成されており、ケーブルの延伸方向に沿って湾曲自在である。
【００３１】
固定接点６３ａ〜６３ｄは、切換開閉器容器２３に対して固定されている。一方、可動接点６１ａ〜６１ｄは、運動変換機構６５を介して可動部６７に連結されている。運動変換機構６５は、可動部６７の回動運動を直線運動として可動接点６１ａ〜６１ｄに伝達する。このような構成により、蓄勢機構５７から出力軸５８に動力エネルギが開放されると、可動部６７の回動運動に伴って、可動接点６１ａ〜６１ｄが中心軸７１を中心とする半径方向にほぼ沿った方向に直線運動する。この結果、固定接点６３ａ〜６３ｄと可動接点６１ａ〜６１ｄとが順次接触し、接触した接点６０を介して負荷電流が流れる。この際、フレキシブルリード６６が自在に湾曲することにより、可動接点６１ａ〜６１ｄの直線運動が許容される。
【００３２】
なお、接点６０が設けられる形態は、図２および図３中に示す形態に限られるものではない。たとえば、２組の固定接点６３および可動接点６１が、中心軸７１の軸方向に間隔を隔てて設けられてもよい。
【００３３】
続いて、切換開閉器２２が配置される切換開閉器容器２３の呼吸機構について説明する。
【００３４】
図１を参照して、切換開閉器２２では、タップ切換が行われる度に絶縁油中で電流遮断が行なわれる。この電流遮断によってアーク放電が生じ、これによって絶縁油が加熱膨張したり、分解ガスが発生して切換開閉器容器２３内の圧力が上昇したりする場合がある。また、周囲温度の低下に伴って、絶縁油の体積が縮小して切換開閉器容器２３内の圧力が下降する場合もある。
【００３５】
このような圧力変動を解消するために、負荷時タップ切換装置１０１は、絶縁油と空気との界面が形成されるコンサベータ４１と、コンサベータ４１と切換開閉器容器２３との間を連通させる油配管３１とを備える。コンサベータ４１内の気体空間４８は、大気につながる逆止弁４５に接続されている。コンサベータ４１は、切換開閉器容器２３に連通しており、コンサベータ４１において絶縁液１５と気体との界面が形成される。コンサベータ４１は、切換開閉器容器２３内の圧力に応じて切換開閉器容器２３へ絶縁油を補給する。
【００３６】
窒素ボンベ３９は、大気圧よりわずかに高い圧力に設定された減圧弁３８を有し、コンサベータ４１を介して切換開閉器容器２３に窒素を供給する。また、負荷時切換装置１０１は、窒素ボンベの代わりに他の非酸素ガスを供給する供給器を備える構成であってもよい。
【００３７】
逆止弁４５は、コンサベータ４１に接続され、コンサベータ４１から大気への気体流れを許容し、大気からコンサベータ４１への気体流れを発生させないように規制する。すなわち、逆止弁４５は、コンサベータ４１の気体空間４８と通じる第１開口部と、大気と通じる第２開口部とを有し、第１開口部から流れ込む気体を第２開口部へ通過させ、第２開口部から流れ込む気体を第１開口部へ通過させない構造を有する。
【００３８】
気体配管５０は、コンサベータ４１の気体空間４８に接続された第１端と、逆止弁４５の第１開口部に接続された第２端とを有し、コンサベータ４１と逆止弁４５との間を接続する。気体配管４９は、コンサベータ４１の気体空間４８に接続された第１端と、窒素ボンベ３９の減圧弁３８に接続された第２端とを有し、コンサベータ４１と窒素ボンベ３９との間を接続する。
【００３９】
また、気体配管５０および気体配管４９は、コンサベータ４１からの所定区間を共通にしている。このような構成により、コンサベータ４１の構造の簡易化を図ることができる。
【００４０】
油流リレー３５は、切換開閉器容器２３とコンサベータ４１との間の油配管３１の途中に設けられ、切換開閉器２２の内部異常を検出する。より詳細には、油流リレー３５は、油配管３１内の油流を検出することにより、切換開閉器容器２３内で生ずるアーク放電の異常ならびに絶縁破壊および短絡事故等の異常を検出するために設けられている。
【００４１】
放圧装置３６は、過大な異常圧力に対して避圧保護を行なう。すなわち、放圧装置３６は、切換開閉器容器２３の内部で起こった事故時の異常アークにより、大量の分解ガス発生による過大圧力から機器を避圧保護するために設けられている。
【００４２】
ところで、従来のＬＴＣでは、大気流入による絶縁油の酸化劣化および絶縁性能の低下が生じるという問題点があった。
【００４３】
しかしながら、本発明の第１の実施の形態に係る負荷時タップ切換装置では、窒素ボンベ３９は、コンサベータ４１に窒素を供給する。また、逆止弁４５は、コンサベータ４１から大気への気体流れを許容し、大気からコンサベータ４１への気体流れを発生させないように規制する。
【００４４】
すなわち、本発明の第１の実施の形態に係る負荷時タップ切換装置では、従来分解ガスを排出していたブリーザの代わりに、大気側へのみ気体を排出可能な逆止弁４５を設ける。そして、窒素ボンベ３９から気体配管４９を介してコンサベータ４１に窒素を補給できるようにする。
【００４５】
図４は、本発明の第１の実施の形態に係る負荷時タップ切換装置が気圧調整を行なう際の動作手順を定めたフローチャートである。
【００４６】
図４を参照して、負荷時タップ切換装置１０１は、切換開閉器容器２３内の圧力すなわちコンサベータ４１の気体空間４８の気圧が正圧である場合には（ステップＳ１でＹＥＳ）、逆止弁４５を介してコンサベータ４１内の気体を大気へ排出する。すなわち、切換開閉器容器２３内が正圧条件になれば逆止弁４５が開放されて分解ガスを大気側へ放出し、設定圧力に維持する（ステップＳ２）。
【００４７】
一方、負荷時タップ切換装置１０１は、切換開閉器容器２３内の圧力すなわちコンサベータ４１の気体空間４８の気圧が負圧である場合には（ステップＳ１でＮＯ）、窒素ボンベ３９からコンサベータ４１へ非酸素気体を供給する。すなわち、切換開閉器容器２３内の温度変化で生ずる呼吸作用において、切換開閉器容器２３内が負圧条件になれば、逆止弁４５で大気流入を止めながら窒素ボンベ３９から窒素を供給して設定圧力に維持する（ステップＳ３）。
【００４８】
このように、タップ切換ごとに発生して蓄積する分解ガスを、切換開閉器容器２３内が設定圧力に下がるまでその都度逆止弁４５を介して排気することができる。また、大気側からの空気の流入を遮断することにより、大気から供給される酸素および水分の流入を遮断して絶縁油の酸化劣化および絶縁性能低下を防ぐことができる。
【００４９】
すなわち、負荷時切換装置１０１の内部異常検出のための油流リレー３５を備え、コンサベータ４１による絶縁油補給方法を採用した構成を維持したまま絶縁油の酸化劣化を防止することができる。これにより、絶縁油の酸化劣化に起因する接点６０の過熱、および可とう性通電導体すなわちフレキシブルリード６６の可とう性低下による断線から生じる通電障害を防止することができる。また、絶縁油への水分侵入による絶縁性能低下から生じる絶縁破壊による短絡事故を防止することができる。したがって、装置の信頼性を高めることができる。
【００５０】
また、従来のＬＴＣにおいて短期間で行っていたブリーザの乾燥剤を交換する作業を無くすことができるので、保守性を向上させることができる。
【００５１】
また、窒素ボンベ３９は負圧条件になった場合のみ窒素を供給するため、窒素の供給量は極わずかであり、長期間交換する必要がない。したがって、乾燥剤を交換する従来のＬＴＣよりも人手およびコストを大幅に低減することができる。
【００５２】
次に、本発明の他の実施の形態について図面を用いて説明する。なお、図中同一または相当部分には同一符号を付してその説明は繰り返さない。
【００５３】
＜第２の実施の形態＞
本実施の形態は、第１の実施の形態に係る負荷時タップ切換装置と比べて配管を変更した負荷時タップ切換装置に関する。以下で説明する内容以外は第１の実施の形態に係る負荷時タップ切換装置と同様である。
【００５４】
図５は、本発明の第２の実施の形態に係る負荷時タップ切換装置の構成を示す図である。
【００５５】
図５を参照して、負荷時タップ切換装置１０２は、本発明の第１の実施の形態に係る負荷時タップ切換装置１０１と比べて、気体配管４９および５０の代わりに気体配管７９および８０を備える。
【００５６】
窒素ボンベ３９は、切換開閉器容器２３に直接窒素を供給する構成であってもよい。すなわち、気体配管７９は、切換開閉器容器２３に接続された第１端と、窒素ボンベ３９に接続された第２端とを有し、切換開閉器容器２３と窒素ボンベ３９との間を接続する。この場合、減圧弁３８は、負荷時タップ切換装置１０１における設定圧力に対して、たとえばコンサベータ４１および油配管３１における絶縁油が切換開閉器容器２３内の絶縁油に与える圧力分を加えた値に設定される。このような構成により、コンサベータ４１の構造の簡易化を図ることができる。
【００５７】
その他の構成および動作は第１の実施の形態に係る負荷時タップ切換装置と同様であるため、ここでは詳細な説明を繰り返さない。
【００５８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５９】
【図１】本発明の第１の実施の形態に係る負荷時タップ切換装置の構成を示す断面図である。
【図２】図１中の負荷時タップ切換装置を構成する切換開閉器の主要部を示す断面図である。
【図３】図２中のＩＩＩ−ＩＩＩ線上に沿った切換開閉器の断面図である。
【図４】本発明の第１の実施の形態に係る負荷時タップ切換装置が気圧調整を行なう際の動作手順を定めたフローチャートである。
【図５】本発明の第２の実施の形態に係る負荷時タップ切換装置の構成を示す図である。
【符号の説明】
【００６０】
１０  変圧器、１１  コイル、１３  変圧器タンク、１５  絶縁液、２１  タップ選択器、２２  切換開閉器、２３  切換開閉器容器、２４  駆動装置、２５  駆動力伝達部、２７  電動操作機構部、３１  油配管、３５  油流リレー、３６  放圧装置、３８  減圧弁、３９  窒素ボンベ、４１  コンサベータ、４５  逆止弁、４８  気体空間、４９，５０，７９，８０  気体配管、５３  ギヤ、５５  駆動軸、５７  蓄勢機構、５８  出力軸、６０  接点、６１，６１ａ，６１ｂ，６１ｃ，６１ｄ  可動接点、６３，６３ａ，６３ｂ，６３ｃ，６３ｄ  固定接点、６４  中継端子、６５  運動変換機構、６６  フレキシブルリード、６７  可動部、７１  中心軸、１０１，１０２  負荷時タップ切換装置。
【図１】
2010147074.tif 000003
【図２】
2010147074.tif 000004
【図３】
2010147074.tif 000005
【図４】
2010147074.tif 000006
【図５】
2010147074.tif 000007